(57)【要約】  本発明は、半二重通信システムであるＰｏＣシステムと全二重通信システムである一般電話の間において、基本的な通信手段の概念の違いを解決し、スムーズな通信を提供する。本発明の通信システムは、電話網で適用される通信制御信号とＰｏＣシステムで適用される通信制御信号とを相互変換する通信制御装置と、前記電話網に適用される全二重音声信号と前記ＰｏＣシステムで適用される半二重音声信号とを相互変換する音声信号処理装置とを具備する。
2007116722.tif 000002
【特許請求の範囲】
【請求項１】
電話網で適用される通信制御信号とＰｏＣ（Ｐｕｓｈ−Ｔｏ−Ｔａｌｋ  ｏｖｅｒ  Ｃｅｌｌｕｌａｒ）システムで適用される通信制御信号とを相互変換する通信制御装置と、
前記電話網に適用される全二重音声信号と前記ＰｏＣシステムで適用される半二重音声信号とを相互変換する音声信号処理装置と
を具備する
通信システム。
【請求項２】
請求の範囲１に記載の通信システムにおいて、
前記通信制御装置は、通話を開始する際、前記電話網では呼び出し（ｒｉｎｇｉｎｇ）を行ない応答側の返答を伺い、前記ＰｏＣシステムではＰｏＣグループメンバに向けて即座に音声信号の送信を行なう
通信システム。
【請求項３】
請求の範囲１に記載の通信システムにおいて、
前記通信制御装置と前記音声信号処理装置とは、連動する事により、全二重通信と半二重通信を接続する
通信システム。
【請求項４】
請求の範囲１に記載の通信システムにおいて、
通信が開始された後、前記電話網に接続される電話機より発言があった場合、前記音声信号処理装置は、前記電話機から受け取った音声信号の信号レベルから前記電話機から発言があった事を認識し、前記発言の認識を契機に、前記音声信号処理装置から前記通信制御装置に発言権制御のための信号を送付しＰｏＣグループ内で発言が重複する事を防ぐ制御を行なう
通信システム。
【請求項５】
請求の範囲１に記載の通信システムにおいて、
前記電話機は、全二重通信の電話網に属し、専用線でＰｏＣシステムに接続し、ＰｏＣ専用の電話機として動作する
通信システム。
【請求項６】
請求の範囲１に記載の通信システムにおいて、
前記音声信号処理装置は、半二重通信で用いられる音声信号と前記電話網で用いられる全二重通信用の音声信号とを相互変換し、半二重通信を提供する
通信システム。
【請求項７】
請求の範囲１に記載の通信システムにおいて、
前記音声信号処理装置は、全二重音声の信号レベルをモニタし、音声を含む信号を検出した際に、前記ＰｏＣシステム上で音声を含む信号を送信する
通信システム。
【請求項８】
請求の範囲１に記載の通信システムにおいて、
前記音声信号処理装置は、全二重音声の信号レベルをモニタし、一定レベル以上の信号を検出した事を契機に、前記ＰｏＣシステムに向けて発言権取得の意思を通知する制御信号を送信する
通信システム。
【請求項９】
請求の範囲８に記載の通信システムにおいて、
前記音声信号処理装置は、前記発言権取得の処理を実行中、音声を含む信号を一端保存し、前記発言権取得の処理が完了した後、保存されていた音声信号を、前記ＰｏＣシステムに向けて発信する
通信システム。
【請求項１０】
請求の範囲１に記載の通信システムにおいて、
前記通信制御装置は、前記電話網で使用される呼接続の為の一般的な制御信号と前記ＰｏＣシステムで用いられる特有の制御信号とを相互変換し、半二重通信を提供する
通信システム。
【請求項１１】
請求の範囲１に記載の通信システムにおいて、
前記通信制御装置は、前記電話網から前記ＰｏＣシステム上で同報通信が可能なＰｏＣグループを呼び出す際、通常の電話番号、或いはＳＩＰ−ＵＲＬを利用して前記ＰｏＣグループを特定する
通信システム。
【請求項１２】
電話網で適用される通信制御信号とＰｏＣ（Ｐｕｓｈ−Ｔｏ−Ｔａｌｋ  ｏｖｅｒ  Ｃｅｌｌｕｌａｒ）システムで適用される通信制御信号とを相互変換する手段を備える
通信装置。
【請求項１３】
請求の範囲１２に記載の通信装置において、
前記手段は、通話を開始する際、前記電話網では呼び出しを行ない応答側の返答を伺い、前記ＰｏＣシステムではＰｏＣグループメンバに向けて即座に音声信号の送信を行なう
通信装置。
【請求項１４】
電話網に適用される全二重音声信号とＰｏＣシステムで適用される半二重音声信号とを相互変換する手段を備える
音声信号処理装置。
【請求項１５】
請求の範囲１４に記載の音声信号処理装置において、
更に、
通信が開始された後、前記電話網に接続される電話機より発言があった場合、前記電話機から受け取った音声信号の信号レベルから前記電話機から発言があった事を認識する手段と、
前記発言の認識を契機に、通信制御装置に発言権制御のための信号を送付する手段
とを備える
音声信号処理装置。
【請求項１６】
請求の範囲１４に記載の音声信号処理装置において、
更に、全二重音声の信号レベルをモニタし、一定レベル以上の信号を検出した事を契機に、前記ＰｏＣシステムに向けて発言権取得の意思を通知する制御信号を送信する手段を備える
音声信号処理装置。
【請求項１７】
電話網で適用される通信制御信号とＰｏＣ（Ｐｕｓｈ−Ｔｏ−Ｔａｌｋ  ｏｖｅｒ  Ｃｅｌｌｕｌａｒ）システムで適用される通信制御信号とを相互変換するステップと、
前記電話網に適用される全二重音声信号と前記ＰｏＣシステムで適用される半二重音声信号とを相互変換するステップ
とを備える
通信方法。
【請求項１８】
請求の範囲１７に記載の通信方法において、
更に、
通話を開始する際、前記電話網では呼び出し（ｒｉｎｇｉｎｇ）を行ない応答側の返答を伺い、前記ＰｏＣシステムではＰｏＣグループメンバに向けて即座に音声信号の送信を行なうステップ
を備える
通信方法。
【請求項１９】
電話網で適用される通信制御信号とＰｏＣ（Ｐｕｓｈ−Ｔｏ−Ｔａｌｋ  ｏｖｅｒ  Ｃｅｌｌｕｌａｒ）システムで適用される通信制御信号とを相互変換するステップを備える
通信装置の動作方法。
【請求項２０】
請求の範囲１９に記載の通信方法において、
前記相互変換するステップは、通話を開始する際、前記電話網では呼び出しを行ない応答側の返答を伺い、前記ＰｏＣシステムではＰｏＣグループメンバに向けて即座に音声信号の送信を行なうステップを含む
通信装置の動作方法。
【請求項２１】
前記電話網に適用される全二重音声信号と前記ＰｏＣシステムで適用される半二重音声信号とを相互変換するステップを備える
音声信号処理装置の動作方法。
【請求項２２】
請求の範囲２１に記載の音声信号処理装置の動作方法において、
更に、
通信が開始された後、前記電話網に接続される電話機より発言があった場合、前記電話機から受け取った音声信号の信号レベルから前記電話機から発言があった事を認識するステップと、
前記発言の認識を契機に、通信制御装置に発言権制御のための信号を送付するステップ
とを備える
音声信号処理装置の動作方法。
【発明の詳細な説明】
【技術分野】
【０００１】
本発明は、携帯電話網で提供される同報通知可能な半二重通信システム（以下、ＰｏＣシステム）と一般電話網、又は企業内線電話網などの全二重通信システムに接続される電話機、及びＰｏＣシステム専用の端末装置を相互接続し、半二重通信を提供する通信システムに関する。
【背景技術】
【０００２】
ＰｏＣ（Ｐｕｓｈ−Ｔｏ−Ｔａｌｋ  ｏｖｅｒ  Ｃｅｌｌｕｌａｒ）システムの利用が一般化した場合、従来からある一般電話網、又は企業内線電話網に接続された電話機からＰｏＣ加入者と通信を行ないたいというニーズが生まれてくる。【０００３】
しかし、これらのニーズに対応する際、半二重通信システムであるＰｏＣシステムと全二重通信システムである一般電話の間において、半二重通信の特徴である通話者の発言権制御、半二重通信の特性、及び同報が可能な音声データの扱い、更に一般電話よりＰｏＣグループをダイヤルする方法など、基本的な通信手段の概念の違いを解決し、スムーズな通信を提供する事が課題となる。具体的には、以下のような問題点がある。【０００４】
第１の問題点は、半二重通信システムと全二重通信システムの間でスムーズな通信を提供する場合に、全二重通信を利用する通話者の発言権を示す方法が無い事である。その理由は、全二重通信の場合、そもそも半二重通信システムが必要とする発言権制御という概念が基本的に無い事である。【０００５】
第２の問題点は、ＰｏＣシステムと一般電話網、又は企業内線電話網などの全二重通信システムを接続する場合、呼制御方法に差異がある事である。その理由は、ＰｏＣシステムは同報通知可能な半二重通信システムである為、通常の電話システムで行なう呼び出し処理（ＲＩＮＧＩＮＧ）が無い事である。【０００６】
第３の問題点は、一般電話網、又は企業内線電話網などの全二重通信システムからＰｏＣグループを呼び出す際、そのグループを指定する手段が無い事である。その理由は、通常の電話網では、グループを電話番号で指定するという概念が基本的に無い事である。【０００７】
関連する技術として、特開２００１−００７８３３号公報にインターフェース変換装置が開示されている。
この従来技術は、１００ＢＡＳＥ−ＴＸによる全二重リンクを使用したネットワークのリンクに設けられるインターフェース変換装置に関する。このインターフェース変換装置は、全二重インターフェースを半二重インターフェースに変換する第１のスイッチ手段と、前記第１のスイッチ手段と接続され半二重リンクで動作するハブと、前記ハブに接続され半二重インターフェースを全二重インターフェースに変換する第２のスイッチ手段とを有する事を特徴とする。【０００８】
また、特表２００５−５０８１１３号公報に無線音声ディスパッチシステムが開示されている。
この無線音声ディスパッチシステムは、少なくとも１つの基地局（ＢＴＳ）と、少なくとも１つの話用移動局（ＭＳ）と、１つの聴用ＭＳとを備えており、フォワードとリバースリンクの対のそれぞれは、少なくとも一対が実質的にアイドル状態である場合に、少なくとも１つのリンクで各ＭＳと前記ＢＴＳとの間で確立され得るものであり、且つ、前記対の前記リンクの前記同一性が、前記関連付けられたＭＳが前記話用ＭＳか前記聴用ＭＳのいずれであるかに依存する。【０００９】
更に、特開昭５６−１４９１４７号公報と特開昭５７−１４３９５６号公報は、半二重通信システムと全二重通信システムとの間の相互通信方式を開示している。しかしながら、これらの文献には、ＰｏＣシステムへの対応については、何らの言及も無い。
【発明の開示】
【００１０】
本発明の目的は、半二重通信システムであるＰｏＣシステムと全二重通信システムである一般電話の間において、基本的な通信手段の概念の違いを解決し、スムーズな通信を提供することにある。
【００１１】
本発明の通信システムは、電話網で適用される通信制御信号とＰｏＣシステムで適用される通信制御信号とを相互変換する通信制御装置と、前記電話網に適用される全二重音声信号と前記ＰｏＣシステムで適用される半二重音声信号とを相互変換する音声信号処理装置とを具備する。
【００１２】
一実施形態では、前記通信制御装置は、通話を開始する際、前記電話網では呼び出し（ｒｉｎｇｉｎｇ）を行ない応答側の返答を伺い、前記ＰｏＣシステムではＰｏＣグループメンバに向けて即座に音声信号の送信を行なう。
【００１３】
前記通信制御装置と前記音声信号処理装置とは、連動する事により、全二重通信と半二重通信を接続する。
【００１４】
通信が開始された後、前記電話網に接続される電話機より発言があった場合、前記音声信号処理装置は、音声信号の信号レベルから前記電話機から発言があった事を認識し、前記発言の認識を契機に、前記音声信号処理装置から前記通信制御装置に発言権制御を行なう信号を送付しＰｏＣグループ内で発言が重複する事を防ぐ制御を行なうことが好ましい。
【００１５】
前記電話機は、全二重通信の電話網に属し、専用線でＰｏＣシステムに接続し、ＰｏＣ専用の電話機として動作してもよい。
【００１６】
前記音声信号処理装置は、半二重通信で用いられる音声信号と前記電話網で用いられる全二重通信用の音声信号とを相互変換し、半二重通信を提供する。
【００１７】
前記音声信号処理装置は、全二重音声の信号レベルをモニタし、音声を含む信号を検出した際に、前記ＰｏＣシステム上で音声を含む信号を送信する。
【００１８】
前記音声信号処理装置は、全二重音声の信号レベルをモニタし、一定レベル以上の信号を検出した事を契機に、前記ＰｏＣシステムに向けて発言権取得の意思を通知する制御信号を送信する。
【００１９】
前記音声信号処理装置は、前記発言権取得の処理を実行中、音声を含む信号を一端保留し、前記発言権取得後、保留されていた音声を含む信号を、前記ＰｏＣシステムに向けて発信する。
【００２０】
前記通信制御装置は、前記電話網で使用される呼接続の為の一般的な制御信号と前記ＰｏＣシステムで用いられる特有の制御信号とを相互変換し、半二重通信を提供する。
【００２１】
前記通信制御装置は、前記電話網から前記ＰｏＣシステム（１００，３００，６００）上で同報通信が可能なＰｏＣグループを呼び出す際、通常の電話番号、或いはＳＩＰ：ＵＲＬを利用して前記ＰｏＣグループを特定することが好適である。
【００２２】
本発明は、下記の効果の少なくとも一つを奏する。
第１の効果は、通常の電話機になんら改造を行なわずにＰｏＣシステムと通信する能力を提供する事である。その理由は、ＰｏＣクライアント端末は、発言権を取得する為に通常ボタンスイッチ（ＰＴＴスイッチ）を具備しているが、そのボタンスイッチを実装していない通常の電話機であっても、単に音声信号を送信（発言）する事より、自動的に発言権取得を行なう事ができる為である。これは、発言権制御を全二重通信の信号レベルを、音声信号を扱う装置（ＰｏＣ  ＩＷＦ  ＭＧＷ）にてモニタする事により実現している為である。
第２の効果は、半二重通信システムと全二重通信システムという基本的な通信形態の違いを克服しスムーズな通信を提供する事にある。その理由は、音声信号の変換制御を行なうＰｏＣ  ＩＷＦ  ＭＧＷにて、電話網で適用されている全二重通信を半二重通信に変換している為である。
第３の効果は、一般の電話機からＰｏＣシステムに接続する際、呼び出し（ＲＩＮＧＩＮＧ）の状態を擬似的に作成するなど違和感のない通信を提供する事にある。その理由は、通信制御装置（ＰｏＣ  ＭＧＣＦ）にて電話網で適用される通信制御信号とＰｏＣシステムで適用される通信制御信号の変換を実施している為である。
【図面の簡単な説明】
【００２３】
【図１】図１は、携帯電話網で提供される同報通知可能な半二重通信システムと一般電話網、或いは企業内線電話網で提供される全二重通信システムを相互接続しスムーズな通信を提供する為のネットワーク構成概要を示す図である。
【図２】図２は、一般電話網から特定のＰｏＣグループをダイヤルによって指定するメカニズム例を示す図である。
【図３】図３は、特定の加入者がＰｏＣメンバであるＰｏＣグループをダイヤルによって指定するメカニズム例を示す図である。
【図４】図４は、ＰｏＣシステムがＩＰ電話網で構築される場合において、一般電話網とＰｏＣシステムを相互接続しスムーズな通信を提供する為のネットワーク構成図である。
【図５】図５は、一般電話の通信手順とＰｏＣサービスの通信手順の差異を示す図である。
【図６】図６は、一般電話からＰｏＣグループに向けて発信した場合の動作フロー図である。
【図７】図７は、会社内線電話網などに設置されるＩＰ専用電話、或いはソフトフォンなどをＰｏＣシステムに対して専用の通信端末と位置づけた場合に適したネットワーク構成図である。
【発明を実施するための最良の形態】
【００２４】
以下に本発明の第１実施形態について添付図面を参照して説明する。
電話網からＰｏＣ（Ｐｕｓｈ−Ｔｏ−Ｔａｌｋ  ｏｖｅｒ  Ｃｅｌｌｕｌａｒ）システムに接続される全体構成を図１に示す。
図１に示すように、本発明の通信システムは、電話機１１０と、ＢＷＴ（両方向トランク）１２０と、通信制御装置（ＰｏＣ  ＭＧＣＦ：Ｍｅｄｉａ  Ｇａｔｅｗａｙ  Ｃｏｎｔｒｏｌ  Ｆｕｎｃｔｉｏｎ）１３０と、音声信号処理装置（ＰｏＣ  ＩＷＦ  ＭＧＷ：Ｉｎｔｅｒｗｏｒｋｉｎｇ  Ｆｕｎｃｔｉｏｎ  Ｍｅｄｉａ  Ｇａｔｅｗａｙ）１４０と、変換装置１５０と、ＰｏＣサーバ１６０と、ＰｏＣメディア制御装置１７０を備えている。【００２５】
第１の実施形態では、本発明の通信システムは、ＰｏＣシステム１００と、電話網１１１を有している。電話網１１１は、電話機１１０を有する。ＰｏＣシステム１００は、ＢＷＴ１２０と、通信制御装置（ＰｏＣ  ＭＧＣＦ）１３０と、音声信号処理装置（ＰｏＣ  ＩＷＦ  ＭＧＷ）１４０と、変換装置１５０と、ＰｏＣサーバ１６０と、ＰｏＣメディア制御装置１７０を備えている。【００２６】
電話機１１０は、電話網１１１に属する通信機器である。ＢＷＴ１２０は、電話機１１０との通信を行ない、電話網１１１とＰｏＣシステム１００との通信を中継する。なお、電話網１１１はＩＳＵＰ網、ＢＩＣＣ網が該当する。また、電話網１１１がＩＰ（Ｉｎｔｅｒｎｅｔ  Ｐｒｏｔｏｃｏｌ）電話網であった場合、ＢＷＴ１２０は不要であり、変換装置１５０に直接接続される。この時、変換装置１５０は、通信制御装置（ＰｏＣ  ＭＧＣＦ）１３０及び音声信号処理装置（ＰｏＣ  ＩＷＦ  ＭＧＷ）１４０を含む。【００２７】
通信制御装置（ＰｏＣ  ＭＧＣＦ）１３０は、電話網で適用される通信制御信号とＰｏＣシステムで適用される通信制御信号を相互変換する。主な特徴としては、通話を開始する際、電話網では、呼び出し（ＲＩＮＧＩＮＧ）を行ない応答側の返答を伺う動作をとるが、ＰｏＣシステムでは、その様な動作を行なわず、ＰｏＣグループメンバに向けて即座に音声信号の送信を行なう。この様に、ＰｏＣ  ＭＧＣＦは、一般的な電話通信の動作とＰｏＣシステムの通信の動作の差分を吸収する役割を担う。【００２８】
音声信号処理装置（ＰｏＣ  ＩＷＦ  ＭＧＷ）１４０は、音声信号を扱う装置であり、電話網に適用される全二重音声信号とＰｏＣシステムで適用される半二重音声信号を相互変換する。【００２９】
変換装置１５０は、非ＩＰ電話網とＩＰ電話網を接続する。ＰｏＣサーバ１６０は、ＰｏＣ特有の制御処理を実施する。ＰｏＣメディア制御装置１７０は、ＰｏＣシステムの特徴である音声の報知を実現するなどメディアを制御する為の装置である。【００３０】
更に、通信制御装置（ＰｏＣ  ＭＧＣＦ）１３０と音声信号処理装置（ＰｏＣ  ＩＷＦ  ＭＧＷ）１４０は、連動する事により、全二重通信と半二重通信をスムーズに接続させる為の動作を担う。通信が開始された後、電話網に接続される電話機より発言があった場合、音声信号処理装置１４０は、音声信号の信号レベルから電話機から発言があった事を認識する。この認識を契機に、音声信号処理装置１４０から通信制御装置１３０に発言権制御を行なう信号を送付しＰｏＣグループ内で発言が重複する事を防ぐ制御を行なう。具体的には、音声信号処理装置１４０は、発言権取得の意思を通知する制御信号を通信制御装置１３０に送信する。この動作により、従来のＰｏＣクライアントが行なう発言権取得をＰｏＣシステム内部で代行する事が可能となる。【００３１】
上記に示される音声制御、通信制御信号制御、及び、発言権管理の為の２つの制御装置の連動を行なう事により、半二重通信システムと全二重通信システムの間でスムーズな通信を提供する事が可能となる。【００３２】
更に、一般電話網とＰｏＣシステムを連動させるには、一般の電話機からＰｏＣグループを指定して、そのＰｏＣグループのメンバとなる事が必要となる。一般の電話機からＰｏＣグループを指定する方法として図２、図３で示す２つの方法が考えられる。１つは、図２に示すように、ＰｏＣグループに専用の電話番号を配布する方法２００である。ＩＰ電話網においては、電話番号の代わりに、ＳＩＰ−ＵＲＬ（Ｓｅｓｓｉｏｎ  Ｉｎｉｔｉａｔｉｏｎ  Ｐｒｏｔｏｃｏｌ−Ｕｎｉｆｏｒｍ  Ｒｅｓｏｕｒｃｅ  Ｌｏｃａｔｏｒ）などでも代用可能となる。一般電話からは、ＰｏＣグループに専用に配布された電話番号をダイヤルする事で、指定したＰｏＣグループのメンバとなる事が可能となる。もう１つは、図３に示すように、あるＰｏＣグループを構成しているメンバの電話番号にプリフィックスを追加してＰｏＣグループを指定する方法２１０である。図３に示す方法２１０は、固定的なプリフィックスを憶えるだけで、一般電話からＰｏＣ通信を開始できる為、複数のＰｏＣグループに配布された専用の電話番号を覚える必要が無いメリットがある。【００３３】
以下に本発明の第２実施形態について添付図面を参照して説明する。
図４を参照すると、本発明の第２実施形態の通信システムは、ＰｏＣシステム３００と、ＰｏＣシステム３００にアクセス可能な電話網から構成されている。更に電話網は、ＩＰ電話網３１１と従来の公衆電話網３２１の場合が記述されている。本実施形態は、変換装置３６０で示す２つの装置（３７０，３８０）で実現されるが、ＰｏＣシステム３００内で示される他の装置は、ＰｏＣサービスを提供する為の基本的な装置である。【００３４】
図４は、ＩＰ電話網をベースとしたＰｏＣシステムの構成図である。
本実施形態の通信システムは、ＩＰ電話機３１０と、電話機３２０と、ＭＧＣＦ（Ｍｅｄｉａ  Ｇａｔｅｗａｙ  Ｃｏｎｔｒｏｌ  Ｆｕｎｃｔｉｏｎ）３３０と、ＭＧＷ（Ｍｅｄｉａ  Ｇａｔｅｗａｙ）３４０と、ＣＳＣＦ（Ｃａｌｌ  Ｓｔａｔｅ  Ｃｏｎｔｒｏｌ  Ｆｕｎｃｔｉｏｎ）３５０と、変換装置３６０と、通信制御装置（ＰｏＣ  ＭＧＣＦ）３７０と、音声信号処理装置（ＰｏＣ  ＩＷＦ  ＭＧＷ）３８０と、ＰｏＣサーバ３９０と、ＰｏＣメディア制御装置３９５を備えている。【００３５】
ＩＰ電話機３１０は、ＩＰ電話網３１１に属し、電話をかける相手との間の通信経路を、インターネットで使用されているＩＰプロトコルベースで構築する通信機器である。例えば、ＩＰ電話用の電話機やパソコンを用いる事が多い。電話機３２０は、従来の公衆電話網３２１に属する通常の電話機である。ＭＧＣＦ３３０及びＭＧＷ３４０は、ＩＰ電話網をベースとしたＰｏＣシステムと従来の電話網の間で通信を行なう為の装置である。ＭＧＣＦ３３０は、従来の電話網で適用されているＩＳＵＰやＢＩＣＣなどの呼処理制御信号とＩＰ電話で適用される信号を変換する装置である。ＭＧＷ３４０は、音声信号のコーディックの種別（例えば、ＰＣＭやＡＭＲなど）を変換する装置である。ＣＳＣＦ３５０は、ＩＰ電話を実現する為のサーバである。変換装置３６０は、通信制御装置（ＰｏＣ  ＭＧＣＦ）３７０及び音声信号処理装置（ＰｏＣ  ＩＷＦ  ＭＧＷ）３８０を含む。通信制御装置（ＰｏＣ  ＭＧＣＦ）３７０は、電話網で適用される通信制御信号とＰｏＣシステムで適用される通信制御信号の相互変換を行なう。音声信号処理装置（ＰｏＣ  ＩＷＦ  ＭＧＷ）３８０は、音声信号を扱う装置であり、電話網に適用される全二重音声信号とＰｏＣシステムで適用される半二重音声信号の相互変換を行なう。ＰｏＣサーバ３９０は、ＰｏＣ特有の制御処理を実施する。また、ＰｏＣメディア制御装置３９５は、ＰｏＣシステムの特徴である音声の報知を実現するなどメディアを制御する為の装置である。【００３６】
一般の電話機よりＰｏＣシステムに音声発信する場合の動作を説明する。図５は、一般の電話網で適用されている通信手順とＰｏＣサービスの場合の通信手順の比較である。一般の電話網では、相手を指定して発信（ステップＳ１０１）した後、呼び出し（ステップＳ１０２）、応答（ステップＳ１０３）、及び通話（ステップＳ１０４）を行ない、その後、通信を切断（ステップＳ１０５）する。ＰｏＣサービスでは、相手を指定して発信（ステップＳ２０１）した後、通話（ステップＳ２０２）を行なう。【００３７】
すなわち、一般の電話網で行なわれている呼び出し（ステップＳ１０２）、応答（ステップＳ１０３）、及び切断（ステップＳ１０５）という手順が、ＰｏＣサービスには存在しない事が差異となっている。この差異を吸収しスムーズな呼接続を提供するのが、通信制御装置（ＰｏＣ  ＭＧＣＦ）３７０である。通信制御装置（ＰｏＣ  ＭＧＣＦ）３７０は、ＣＳＣＦ３５０に向けては一般電話の通信手順を提供し、ＰｏＣサーバ３９０に向けてはＰｏＣサービスの通信手順を提供する。【００３８】
更にＰｏＣ  ＭＣＣＦの詳細な動作を、図６を使い説明する。
（１）ステップＳ３０１
一般電話網５１０（発信者）から発信信号を通信制御装置（ＰｏＣ  ＭＧＣＦ）５２０に送信する。
（２）ステップＳ３０２
通信制御装置（ＰｏＣ  ＭＧＣＦ）５２０は、一般電話網５１０から発信信号を送信してきた発信者がＰｏＣメンバとして登録されているか否かＰｏＣサーバ５３０に問い合わせる。登録されていない場合、通信制御装置（ＰｏＣ  ＭＧＣＦ）５２０は、ＰｏＣサーバ５３０に、発信者のＩＤ情報（通常の電話番号、或いはＳＩＰ：ＵＲＬなど）の登録要求の信号を送付する。
（３）ステップＳ３０３
ＰｏＣサーバ５３０から通信制御装置（ＰｏＣ  ＭＧＣＦ）５２０にＰｏＣメンバの登録要求を了解した旨（ＯＫ）を通知する。
（４）ステップＳ３０４
通信制御装置（ＰｏＣ  ＭＧＣＦ）５２０から一般電話網５１０に呼び出し中を通知する信号を送信する。
（５）ステップＳ３０５
通信制御装置（ＰｏＣ  ＭＧＣＦ）５２０から一般電話網５１０に応答を通知する信号を送信し、発信者に向けて通信が可能な状態に移行した事を通知する。
（６）ステップＳ３０６
発信者が一般電話網５１０を介して通話を行なう。
（７）ステップＳ３０７
一般電話網５１０からの切断信号により通話を終了する。
（８）ステップＳ３０８
発信者より切断の信号を受けた通信制御装置（ＰｏＣ  ＭＧＣＦ）５２０は、ＰｏＣサーバ５３０に向けてＰｏＣメンバ解除要求の信号を送付し、発信者をＰｏＣメンバから削除を行なう。
（９）ステップＳ３０９
ＰｏＣサーバ５３０から通信制御装置（ＰｏＣ  ＭＧＣＦ）５２０にＰｏＣメンバの解除要求を了解した旨（ＯＫ）を通知する。
（１０）ステップＳ３１０
ＰｏＣサーバ５３０から一般電話網５１０（発信者）に切断完了を通知する。【００３９】
すなわち、図６に示す一般電話網５１０から発信信号を通信制御装置（ＰｏＣ  ＭＧＣＦ）５２０が受信すると、通信制御装置（ＰｏＣ  ＭＧＣＦ）５２０は、ダイヤルされた電話番号やＳＩＰ−ＵＲＬ等を利用して、指定されたＰｏＣグループを特定する。更に、特定されたＰｏＣグループにおいて、発信者がＰｏＣメンバとして登録されているか否かの判断を行なう。登録されていない場合、通信制御装置（ＰｏＣ  ＭＧＣＦ）５２０は、発信者のＩＤ情報（通常の電話番号、或いはＳＩＰ：ＵＲＬなど）をＰｏＣサーバ５３０に登録する為の処理を行なう。この処理が完了後、発信者に向けて、呼び出し中を通知する信号、更に応答を通知する信号を送信し発信者に向けて通信が可能な状態に移行した事を通知する。この際、発信者に発言を促す発信音、又は、アナウンスを提供する事により更にスムーズな通信が可能となる。図６に示す通信中の動作については、以降に述べる。一方、通信が終了するのは、必ず一般電話網５１０からの切断信号による。その理由としてＰｏＣシステムでは、常に半二重信号を送受できる環境である事が前提となっている為、切断という明確な手順が無い事による。発信者より切断の信号を受けた通信制御装置（ＰｏＣ  ＭＧＣＦ）５２０は、ＰｏＣサーバ５３０に向けてＰｏＣメンバ解除要求の信号を送付し、発信者をＰｏＣメンバから削除を行なう。この動作によって、発信者は、ＰｏＣグループから完全に外れる事が可能となる。【００４０】
図６に示す通話中の動作では、全二重通信と半二重通信をスムーズな通信が提供される。この動作は、図４の音声信号処理装置（ＰｏＣ  ＩＷＦ  ＭＧＷ）３８０が主な機能を担う。【００４１】
まず、一般電話網に接続された電話機より音声が発された場合の動作を説明する。
図４の音声信号処理装置（ＰｏＣ  ＩＷＦ  ＭＧＷ）３８０は、電話機からの信号レベルを常にモニタしており、ある閾値を越える信号を検出した場合、その電話機の利用者が通信を開始する意思があると判断し、音声信号処理装置（ＰｏＣ  ＩＷＦ  ＭＧＷ）３８０は、電話機に代わりＰｏＣシステムの特徴である発言権確保のための動作を開始する。発言権確保は、音声信号処理装置（ＰｏＣ  ＩＷＦ  ＭＧＷ）３８０より図４の通信制御装置（ＰｏＣ  ＭＧＣＦ）３７０を経由し、図４のＰｏＣサーバ３９０に申告する事によって行なう。この処理の間、音声信号処理装置（ＰｏＣ  ＩＷＦ  ＭＧＷ）３８０は、受信した音声信号をバッファリングし、発言権取得後の送信に備える。発言権取得後は、図４のＰｏＣメディア制御装置３９５に向けてバッファリングした音声データの送信を行なう。この動作により、一般電話網に接続された電話機からのＰｏＣメンバに向けた同報が可能となる。なお、音声の信号レベルが一定期間ある閾値を下回った事、或いは、一回の発言の最大時間を越えた場合などを契機に、音声信号処理装置（ＰｏＣ  ＩＷＦ  ＭＧＷ）３８０は電話機に代わり、発言権放棄を行なう。【００４２】
以下に本発明の第３実施形態について添付図面を参照して説明する。
ここでは、他のＰｏＣメンバより発信された音声データがＰｏＣメディア制御装置から同報され、ＰｏＣ  ＩＷＦ  ＭＧＷで受信した場合の動作を説明する。この場合、ＰｏＣ  ＩＷＦ  ＭＧＷで受信した音声データをそのまま、一般電話網に接続された電話機に向けて送信を行なう事によって実現する。【００４３】
図７は、会社内線電話網などに設置されるＩＰ専用電話、或いはソフトフォンなどをＰｏＣシステムに対して専用の通信端末と位置づけた場合に適したネットワーク構成である。
図７に示すように、本実施形態の通信システムは、ＰｏＣシステム６００と、ＰＢＸ（Ｐｒｉｖａｔｅ  Ｂｒａｎｃｈ  ｅＸｃｈａｎｇｅ）電話網６１１とを有している。また、本実施形態の通信システムは、ＩＰ電話機６１０と、ＰｏＣクライアントエージェント６２０と、ＣＳＣＦ６３０と、音声信号処理装置（ＰｏＣ  ＩＷＦ  ＭＧＷ）６４０と、ＰｏＣサーバ６５０と、ＰｏＣメディア制御装置６６０を備えている。【００４４】
この時、ＰＢＸ電話網６１１は、ＩＰ電話機６１０を有している。また、ＰｏＣシステム６００は、ＰｏＣクライアントエージェント６２０と、ＣＳＣＦ６３０と、音声信号処理装置（ＰｏＣ  ＩＷＦ  ＭＧＷ）６４０と、ＰｏＣサーバ６５０と、ＰｏＣメディア制御装置６６０を備えている。
また、ＰｏＣシステム６００とＰＢＸ電話網６１１とは、ＩＰトンネル６７０で接続されている。変換装置６８０は、ＰｏＣシステム６００内にて、ＰｏＣクライアントエージェント６２０と、音声信号処理装置（ＰｏＣ  ＩＷＦ  ＭＧＷ）６４０を備えている。【００４５】
ＩＰ電話機６１０は、ＰＢＸ電話網６１１に属するＩＰ電話機である。ＰｏＣクライアントエージェント６２０は、変換装置６８０自体をＰｏＣグループメンバとして扱う為に必要な処理を行なう。ＣＳＣＦ６３０は、ＩＰ電話を実現する為のサーバである。音声信号処理装置（ＰｏＣ  ＩＷＦ  ＭＧＷ）６４０は、音声信号を扱う装置であり、電話網に適用される全二重音声信号とＰｏＣシステムで適用される半二重音声信号の相互変換を行なう。ＰｏＣサーバ６５０は、ＰｏＣ特有の制御処理を実施する。ＰｏＣメディア制御装置６６０は、ＰｏＣシステムの特徴である音声の報知を実現するなどメディアを制御する為の装置である。【００４６】
ＩＰ電話機６１０は、ＰｏＣシステムに対して常にＰｏＣメンバとなる事を想定するため、ＰｏＣシステムとＩＰ電話機の間は、常にＰｏＣシステムに向けて接続性を保証するセキュアなＩＰトンネル６７０で接続される。ＰｏＣシステム６００では、変換装置６８０が通常のＰｏＣメンバとして動作する為、変換装置６８０自体を通常のＰｏＣメンバとして扱う事が可能となる。従って、図６で示す構成では、一般電話網から発信信号、及び切断信号で、ＰｏＣメンバの登録、解除を連動させていたが、図７の構成では、その必要が無く、ＩＰ電話機を常にＰｏＣメンバと扱う事が可能となり、呼制御の単純化による即時性の向上が期待できる。【００４７】
図６のシステム構成では、一般電話網とＰｏＣシステムの連携動作を提供する為、公衆電話網でのサービスに適する。例えば、携帯電話サービスで提供されるＰｏＣシステムにおいて、ＰｏＣグループが構成されている場合、そのグループに向けて、一般加入電話などからの呼び出し、及び通信などのサービスに適している。【００４８】
図７のシステム構成では、会社内線電話網などに設置されるＩＰ専用電話、或いはソフトフォンなどをＰｏＣシステムに対して専用の通信端末と位置づけた場合を想定しているため、具体的な実施例としては、タクシー会社の配車担当が図７の６１０で示されるＩＰ電話機を利用し、タクシー運転手で構成されるＰｏＣグループに向けて配車指示を行なう場合などに適している。【００４９】
なお、上述の実施形態において、マイク、スピーカ、及び送受信切り替えスイッチを具備する装置（以下、ＤＤＣ：  Ｄｅｓｋｔｏｐ  Ｄｉｓｐａｔｃｈ  Ｃｏｎｓｏｌｅ）がパーソナルコンピュータに接続され、そのＰＣのソフトウェアによってＤＤＣが電話機、或いはＰｏＣシステム専用端末として動作してもよい。この場合、ＤＤＣが、半二重通信を行なう装置として専用線でＰｏＣシステムに接続し、ＰｏＣ専用の装置として動作する。【００５０】
以上のように、本発明の通信システムは、携帯電話網で提供される同報通知可能な半二重通信システム（以下、ＰｏＣシステム）と一般電話網、又は企業内線電話網などの全二重通信システムに接続される電話機、及びＰｏＣシステム専用の端末装置を相互接続し、半二重通信を提供する。
【図１】
2007116722.tif 000003
【図２】
2007116722.tif 000004
【図３】
2007116722.tif 000005
【図４】
2007116722.tif 000006
【図５】
2007116722.tif 000007
【図６】
2007116722.tif 000008
【図７】
2007116722.tif 000009
【国際調査報告】
2007116722.tif 000010
2007116722.tif 000011
2007116722.tif 000012